(57)【要約】【課題】籾摺選別機における籾供給調節弁の操作の容易化。【解決手段】籾ホッパ６の流下口に籾供給調節弁２８を開閉調節自在に軸支し、籾供給調節レバー３０により作動できる籾供給調節作動片３１を軸支して設け、籾供給調節弁２８と籾供給調節作動片３１とを連動機構を介して連動連結する。籾供給調節作動片３１の回動部分に軸支した係止板３９を対向配置し、係止板３１の自由端側を籾供給調節作動片３１側にスプリング４０により押圧付勢し、籾供給調節作動片３１と係止板３９の当接部分に、山形凸部４０及び係止ピン４１を設けて互いに接触連係させる。籾供給調節レバー３０の操作荷重を軽減しながら、籾供給調節弁２８を開閉調節位置に確実に係止することができる。【選択図】                図２
2004174381.tif 000002
【特許請求の範囲】
【請求項１】
籾ホッパ６の流下口に開閉調節自在に軸支されている籾供給調節弁２８と籾供給調節レバー３０の操作により軸回りに回動する籾供給調節作動片３１との間を連動機構を介して連動連結し、前記籾供給調節作動片３１の回動部分に対向部位に係止板３９を軸支すると共に、係止板３１の自由端側を籾供給調節作動片３１側に押圧付勢し、前記籾供給調節作動片３１と係止板３９の当接部分に、互いに接触連係する山形凸部４０及び係止ピン４１からなる係止機構を設けたことを特徴とする籾摺選別機の籾供給調節弁操作装置。
【請求項２】
籾ホッパ６の流下口に開閉調節自在に軸支されている籾供給調節弁２８と籾供給調節レバー３０の操作により軸回りに回動する籾供給調節作動片３１との間を連動ロッド３６を有する連動機構を介して連動連結し、前記連動ロッド３６を伸縮調節可能に構成して前記籾供給調節弁２８の標準開度を調節可能に構成したことを特徴とする籾摺選別機の籾供給調節弁操作装置。
【発明の詳細な説明】
【０００１】
【発明の属する技術分野】
この発明は、籾摺選別機の籾供給調節弁操作装置に関するものである。
【０００２】
【従来の技術】
従来の籾摺選別機の籾供給調節弁操作装置は、籾供給調節弁を調節操作するシャッタ作動体を操作ボックスに支持軸を介して軸支し、支持軸に軸支したシャッタ作動体を板バネにより押圧し、開閉操作位置に移動したシャッタ作動体を板バネにより押圧保持し、籾供給調節弁を開閉調節位置に保持する構成である（例えば、特許文献１）。
【０００３】
【特許文献１】
特開平１１−３３４１９号公報（第３頁、第４図）
【０００４】
【発明が解決しようとする課題】
従来の籾供給調節弁操作装置は、籾供給調節弁を調節作動するシャッタ作動体を操作ボックスに支持軸を介して軸支し、支持軸に介装した板バネによりシャッタ作動体を押圧し開閉操作位置に保持する構成であるので、レバーの操作荷重が重くなるという不具合、及び、籾供給調節弁の供給量調節には籾供給調節弁レバーの操作量を調整し、シャッタ作動体の回動位置を板バネにより押圧保持するため、籾供給調節弁の微妙な調整が難しいという不具合があった。
【０００５】
そこで、この発明はこのような不具合を解消しようとするものである。
【０００６】
【課題を解決するための手段】
前記問題点を解決するために、次のような技術的手段を講じた。
即ち請求項１に記載の発明は、籾ホッパ６の流下口に開閉調節自在に軸支されている籾供給調節弁２８と籾供給調節レバー３０の操作により軸回りに回動する籾供給調節作動片３１との間を連動機構を介して連動連結し、前記籾供給調節作動片３１の回動部分に対向部位に係止板３９を軸支すると共に、係止板３１の自由端側を籾供給調節作動片３１側に押圧付勢し、前記籾供給調節作動片３１と係止板３９の当接部分に、互いに接触連係する山形凸部４０及び係止ピン４１からなる係止機構を設けたことを特徴とする。
【０００７】
従って請求項１の発明では、籾供給調節レバー３０を操作し籾供給調節作動片３１を開閉位置に回動すると、連動機構を介して籾ホッパ６の流下口に設けた籾供給調節弁２８が開閉調節される。また、籾供給調節レバー３０の開閉操作により回動される籾供給調節作動片３１と係止板３９とは山形凸部４０と係止ピン４１により当接連係していて、籾供給調節作動片３１が開閉回動すると、係止ピン４１が山形凸部４０に沿って移動し、籾供給調節作動片３１が開位置に回動した状態では、係止ピン４１は山形凸部４０の一方の斜面により係止されて籾供給調節作動片３１を開調節位置に保持し、また、籾供給調節作動片３１が閉位置に回動した状態では、係止ピン４１は山形凸部４０の他方の斜面により係止されて籾供給調節作動片３１を閉調節位置に保持する。
【０００８】
また、請求項２に記載の発明は、籾ホッパ６の流下口に開閉調節自在に軸支されている籾供給調節弁２８と籾供給調節レバー３０の操作により軸回りに回動する籾供給調節作動片３１との間を連動ロッド３６を有する連動機構を介して連動連結し、前記連動ロッド３６を伸縮調節可能に構成して前記籾供給調節弁２８の標準開度を調節可能に構成したことを特徴とする。
【０００９】
従って請求項２の発明では、籾供給調節レバー３０を操作し籾供給調節作動片３１を開閉位置に回動すると、連動機構を介して籾ホッパ６の流下口に設けた籾供給調節弁２８が開閉調節される。また、籾供給調節作動片３１と籾供給調節弁２８との間を連動連結している連動機構には連動ロッド３６が設けられていて、連動ロッド３６を伸縮調節すると、籾供給調節弁２８の標準開度を調節することができる。
【００１０】
【発明の効果】
請求項１の発明は、籾供給調節レバー３０の操作荷重を軽減しながら、籾供給調節弁２８を開閉調節位置に確実に係止することができる。
請求項２の発明では、籾供給調節作動片３１と籾供給調節弁２８との間を連動連結する連動機構には連動ロッド３６が設けられていて、連動ロッド３６を伸縮調節することにより籾供給調節弁２８の標準開度を微調整をすることができ、製作による誤差や組み付けによる誤差を吸収できる。また籾供給調節弁２８の組立て作業を容易にすることができる。
【００１１】
【発明の実施の形態】
以下、図面に示すこの発明の実施例の形態について説明する。
まず、図１に基づき、籾摺選別機の全体構成について説明する。
籾摺選別機は、籾摺部１、籾摺部１からの摺落米を風選する摺落米風選部２、摺落米風選部２での風選後の混合米を籾・玄米に分離選別する揺動選別部３、穀粒を揚穀する混合米揚穀機４及び玄米揚穀機５等により構成されている。
【００１２】
籾摺部１は、上部の籾ホッパ６、籾摺ロ−ル７，７の内装されている籾摺室８等で構成されている。摺落米風選部２は、摺落米風選箱９、摺落米風選路１０、粃受樋１１、摺落米受樋１２、吸引フアン１３、排塵筒１４等により構成されている。
【００１３】
次に、揺動選別部３について説明する。
多段の揺動選別板１５，…には、板面に選別用の凹凸が形成されていて、横方向の一側を高い供給側、他側を低い排出側とし、横方向に直交する縦方向の一方側を高い揺上側、反対側を低い揺下側として、揺動選別板１５の縦横２方向ともに傾斜した構成とし、揺動選別板１５，…は揺動アーム，揺動リンクから構成されている揺動装置で、横方向斜め上下に往復揺動される構成である。
【００１４】
この揺動選別板１５，…の供給側には供給口が構成されていて、摺落米受樋１２の混合米が混合米揚穀機４，混合米タンク２４，分配供給樋１６及び分配ケース１７を経由して、供給口を経て揺動選別板１５，…に供給される構成である。揺動選別板１５，…に供給された混合米は、粒形の大小，比重の大小，摩擦係数の大小等の関係で、比重の重い小形の玄米は揺上側に偏流分布し、また、玄米に比較して大形で比重の軽い籾は、揺下側に偏流分布し、また、その中間部には分離されない籾・玄米の混合米が分布しながら選別される。しかして、これらの選別穀粒は、揺動選別板１５の排出側に設けられている玄米仕切板１８及び籾仕切板１９で仕切られて取り出される。
【００１５】
取り出された玄米は、玄米取出樋２０，玄米流路２１，玄米揚穀機５を経て機外に取り出され、また、混合米は混合米取出樋２２，混合米流路２３，摺落米受樋１２，混合米揚穀機４，混合米タンク２４，分配供給樋１６，分配ケース１７を経て、揺動選別板１５，…に再度供給されて再選別される。また、取り出された籾は、籾取出樋２５，籾流路２６，籾揚穀機２７を経て籾摺部１に揚穀還元されて、再度の籾摺がなされる構成である。
【００１６】
次に、図２及び図３に基づき籾供給調節弁２８の開閉構成について説明する。籾ホッパ６の流下口下方には左右方向の弁軸２９を介して籾供給調節弁２８が開閉自在に軸支されている。籾ホッパ６の後側方には、籾供給調節レバー３０を前後方向の軸３０ａを介して左右方向に回動自在に軸支し、軸３０ａのボス部には左右方向の軸３０ｂを介して籾供給調節レバー３０を左右方向に回動自在に軸支している。軸３０ａと軸３０ｂとは実質的に一体の関係に設けられる。
【００１７】
そして、籾供給調節レバー３０の前側方には、籾供給調節弁２８を作動する籾供給調節作動片３１を軸３０ａにより左右方向に回動自在に軸支し、後側方には揺動クラッチを入／切する揺動クラッチ操作片（図示省略）を左右方向に回動自在に軸３０ａに軸支している。
【００１８】
そして、籾供給調節レバー３０を軸３０ｂ回りに前側に回動して籾供給調節作動片３１の凹部３１ａに係合し、次いで、籾供給調節作動片３１を軸３０ａ回りに左側の開調節位置に回動すると、籾供給調節作動片３１に取り付けられている開閉作動棒３２、及び、図３に示す連動装置を介して籾供給調節弁２８を開調節し、また、右側の閉調節位置に回動すると、籾供給調節弁２８を閉調節するように構成している。
【００１９】
また、籾供給調節レバー３０を軸３０ｂ回りに後側に回動して揺動クラッチ操作片（図示省略）の凹部に係合し、次いで、揺動クラッチ操作片を軸３０ａ回りに右側のクラッチ入り位置に回動すると、揺動クラッチ（図示省略）を入りに切り替え、また、左側のクラッチ切り位置に回動すると、揺動クラッチ（図示省略）を切りに切り替えるように構成している。
【００２０】
籾供給調節レバー３０の軸支部下方には、左右方向の操作軸３３を軸支し、操作軸３３の左側部にはレバー押え板３４を取り付けて、籾供給調節作動片３１側の開閉作動板３２をレバー押え板３４に連係し、操作軸３３の他端部に取り付けたアーム部３５を左右方向の連動ロッド３６の一端に枢支連結し、連動ロッド３６の他端部を弁軸２９に取り付けた連動プレート３７に当接連係し、籾供給調節作動片３１と籾供給調節弁２８とを連動連結している。
【００２１】
しかして、籾供給調節レバー３０を回動すると、籾供給調節作動片３１、開閉作動板３２、レバー押え板３４、操作軸３３、アーム部３５、連動ロッド３６、連動プレート３７、弁軸２９を介して籾供給調節弁２８が開閉調節される。
上記において、開調節の場合は、レバー押え板３４の押圧を開放することにより、頭蓋復帰スプリングの作用で、操作軸３３及び弁軸２９を復帰回動させ得るものとしている。スプリング力を付与しない場合は、籾ホッパ６内籾重量によって調節弁２８が開くようにしてもよい。
【００２２】
なお、操作軸３３の中間部に供給量調節押え板３８を取り付け、機体側のストッパ（図示省略）に供給量調節押え板３８の上面側を当接して、籾供給調節弁２８の最大開調節位置を規制している。
また、連動ロッド３６をねじ部３６ａにより伸縮調節可能に構成し、籾供給調節弁２８の開度を微調整できるように構成している。しかして籾供給調節弁２８の標準開度調節が連動ロッド３６の長さ調節のみで可能となり、製作誤差や組み付け誤差を吸収できながら、籾供給調節弁２８の組立て作業が容易となる。
【００２３】
次に、籾供給調節レバー３０の係止構成について説明する。
籾供給調節作動片３１の下方には係止板３９の一端部をピン３９ａにより軸支し、係止板３９の回動側にスプリング４０を連結して、係止板３９を籾供給調節作動片３１の下端側に押圧付勢している。係止板３９の中間部に山形凸部４０を構成し、籾供給調節作動片３１の下部には係止ピン４１を設けて、山形凸部４０と係止ピン４１を当接連係している。なお、山形凸部４０の上面に係止ピン４１の嵌合する凹部を所定間隔毎に設け、係止ピン４１を移動位置で係止するように構成してもよい。
【００２４】
しかして、籾供給調節レバー３０により開閉作動する籾供給調節作動片３１側の係止ピン４１と係止板３９の山形凸部４０とは接触連係していて、籾供給調節作動片３１の開閉回動時には係止ピン４１が山形凸部４０の斜面に沿って係止板３９を下方に押し下げ山形凹部４０の左右側に移動する。そして、籾供給調節レバー３０が左側の開位置に回動した状態では、係止ピン４１は山形凸部４０の右斜面により係止され、また、籾供給調節レバー３０が右側の閉位置に回動した状態では、係止ピン４１は山形凸部４０の左斜面により係止されて、開閉位置に確実に係止することができる。また、籾供給調節作動片３１は軸３０ａに板バネ等を介して締め付けて開閉位置を保持する必要もなく、籾供給調節レバー３０の操作荷重を軽減することができる。
【００２５】
次に、図４〜図６に基づき混合米タンク２４と籾供給調節弁２８との関連的調節構成について説明する。
籾摺部１の弁軸２９には、開閉用籾供給調節弁２８ａ及び供給量調節用籾供給調節弁２８ｂを回動自在に二重に軸支し、開閉調節レバー４２及び供給量調節レバー４３を介して開閉用籾供給調節弁２８ａ及び供給量調節用籾供給調節弁２８ｂを弁軸２９に対して夫れ夫れ調節可能に構成している。なお、調節構成は、図面は省略したが、開閉調節レバー４２及び供給量調節レバー４３に取り付けた係止ピンを適宜機枠に設けた係止凹部に係合し、調節位置を保持する構成である。
【００２６】
また、混合米揚穀機４の上端部に混合米タンク２４を上下動自在にバネにより吊下支持し、混合米タンク２４に取り付けた上連係板４４に傾斜した連係溝４５を構成し、誘導ロッド４６の上端部を上連係板４４の連係溝４５にピン連係し、誘導ロッド４６の下端部を弁軸２９に取り付けたアーム４７にピン連結している。
【００２７】
しかして、混合米タンク２４と籾供給調節弁の弁軸２９とを誘導ロッド４６により直接連係した簡単な構成にしながら、穀粒が増加しバネに抗して混合米タンク２４が下方に移動すると、誘導ロッド４６によりアーム４７が矢印方向に回動し、開閉用籾供給調節弁２８及び供給量調節用籾供給調節弁２８を閉鎖方向に円滑に調節し、混合米タンク２４への穀粒の増加供給を抑制することができる。
【００２８】
次に、図７に基づき混合米揚穀機４の他の実施例について説明する。混合米揚穀機４の揚穀ケース４ａの上板部４ｂには蓋４８を開閉自在に枢支し、蓋４８の裏面に鏡４９を取り付けている。しかして、蓋４８を４５度程度開けると、揚穀ケース４ａ内の上プーリ５０に対する揚穀ベルト５１の巻き架け状態を楽に確認することができる。
【００２９】
次に、図８に基づき混合米タンク２４から揺動選別板１５，…への穀粒供給装置の他の実施例について説明する。
混合米揚穀機４から混合米タンク２４に揚穀された穀粒は、分配供給樋１６及び分配ケース１７を経由して揺動選別板１５，…に供給される。この実施例では、例えば、脱ぷロール幅３インチ型及び４インチ型の籾摺選別機を製造する際に多くの部品を共用化するために、混合米タンク２４の流下口から分配供給樋１６に穀粒を流下案内する流下筒５１を、３インチ型では長流下筒５１ａに構成し、４インチ型では短流下筒５１ｂに構成しておき、型式により選択して組み付けるものである。なお、長流下筒５１ａ及び短流下筒５１ｂの上部には傾斜板５２が設けられていて、混合米タンク２４の流下底板２４ａの底面に傾斜板５２を沿わせて取り付ける構成である。
【００３０】
即ち、３インチ型では揺動選別板１５，…の枚数が少ないので混合米タンク２４と分配供給樋１６との間に上下方向に広い空間が形成されるが、長流下筒５１ａを取り付けることにより混合米タンク２４から分配供給樋１６まで穀粒を飛散させずに案内できる。また、４インチ型では揺動選別板１５，…の枚数が多いのて混合米タンク２４と分配供給樋１６との間には上下方向に狭い空間が形成されるが、短流下筒５１ｂを取り付けることにより、分配供給樋１６まで穀粒の飛散を防止しながら案内することができる。
【００３１】
次に、図９に基づき選別板枠体５３への揺動選別板１５，…の取付構成について説明する。
選別板枠体５３を上方及び前方を開放した箱型に構成し、選別板枠体５３の左右側枠体５３ａ，５３ａの内側には前後方向の左・右案内枠５４，５４を揺動選別板１５，…の枚数に合わせて夫れ夫れ構成し、後側枠体５３ｂの左右両側部には前記左・右案内枠５４，５４に対応して左・右係止溝５５，５５を構成している。揺動選別板１５の左右両側部には左・右取付板５６，５６を取り付け、揺動選別板１５の後側左右部には係止孔部５７ａ，５７ａのある開閉自在の左・右係止体５７，５７を夫れ夫れ取り付けて選別板ユニットを構成している。
【００３２】
しかして、選別板枠体５３における左右側枠体５３ａ，５３ａの左・右案内枠５４，５４に沿って、揺動選別板１５の左・右取付板５６，５６を前側から後側に向けて挿入し、後側枠体５３ｂの左・右係止溝５５，５５から揺動選別板１５側の左・右係止体５７，５７を後方に突出させ、複数枚の揺動選別板１５，…を装着する。
【００３３】
すると、左・右係止体５７，５７の係止孔部５７ａ，５７ａが機体に固定状態に設けられている左右方向の止め棒５８，…に挿入されて抜け止めされ、揺動選別板１５，…が選別板枠体５３に装着される。次いで、左・右前押え板５９，５９をボルト・ナットで左右側枠体５３ａ，５３ａの前端部に固着し、揺動選別板１５，…を選別板枠体５３に簡単に取り付けることができる。
【００３４】
また、選別板枠体５３から左・右前押え板５９，５９を取り外し、揺動選別板１５，…を前側に引き抜くと、揺動選別板１５側の左・右係止体５７，５７の係止孔部５７ａ，５７ａが拡げられながら止め棒５８，５８から引き抜かれ、揺動選別板１５を簡単に取り外すことができる。なお、止め棒５８，５８を縦方向に沿わせて配設し、上下複数の揺動選別板１５，…を一挙に取り付けるようにしてもよい。
【図面の簡単な説明】
【図１】籾摺選別機の全体の切断側面図。
【図２】要部の背面図。
【図３】要部の斜視図。
【図４】混合米タンク連係機構の斜視図。
【図５】混合米タンク連係機構の側面図。
【図６】混合米タンク連係機構の背面図。
【図７】揚穀機上部の斜視図。
【図８】混合米タンクの側面図及び流下筒斜視図。
【図９】選別板の分解斜視図。
【図１０】選別板支持部の一部側面図。
【符号の説明】
１…籾摺部
２…摺落米風選部
３…揺動選別部
４…混合米揚穀機
５…玄米揚穀機
６…籾ホッパ
７…籾摺ロール
８…籾摺室
９…摺落米風選箱
１０…摺落米風選路
１１…粃受樋
１２…摺落米受樋
１３…吸引フアン
１４…排塵筒
１５…揺動選別板
２８…籾供給調節弁
２９…弁軸
３０…籾供給調節レバー
３１…籾供給調節作動片３１
３２…開閉作動板
３３…操作軸
３４…レバー押え板
３５…アーム部
３６…連動ロッド
３７…連動プレート
３９…係止板
４０…山形凸部
４１…係止ピン
【図１】
2004174381.tif 000003
【図２】
2004174381.tif 000004
【図３】
2004174381.tif 000005
【図４】
2004174381.tif 000006
【図５】
2004174381.tif 000007
【図６】
2004174381.tif 000008
【図７】
2004174381.tif 000009
【図８】
2004174381.tif 000010
【図９】
2004174381.tif 000011
【図１０】
2004174381.tif 000012